(57)【要約】【課題】  多彩な演出の可能なＬＥＤ装飾部材及び遊技機を提供する。【解決手段】    電源供給部材９３１、ＧＮＤ部材９３２、アノード部材２９６、カソード部材２９７は導電性の物質で形成されており、電源供給用配線３９１から供給された電流は電源供給部材９３１、アノード部材２９６、アノード用導電部２９４を通り、ＬＥＤ１９１のアノード２９２へ供給され、ＬＥＤ１９１を点灯させ、カソード２９３、カソード用導電部２９５、カソード部材２９７、ＧＮＤ部材９３２を通ってＧＮＤ用配線３９６へ流出する。モータ９２が回転すると第２歯車９２２が回転し、第１歯車９２３も回転し、第１歯車上に固着されているＬＥＤ台座２９１、アノード部材２９６、カソード部材２９７が移動する。ＬＥＤが複数あっても電源供給用配線３９１，ＧＮＤ用配線３９６は支え部材９３３から延びているので、ＬＥＤ部材９４の移動により配線が移動せず、絡まない。【選択図】  図７
2006334179.tif 000002
【特許請求の範囲】
【請求項１】
遊技機の装飾に用いられるＬＥＤを備えたＬＥＤ装飾部材であって、
１つ又は複数の前記ＬＥＤを備えたＬＥＤ部材と、
直線及び曲線の少なくとも１つからなる閉じた形状のレール部材とを備え、
前記レール部材は、
前記ＬＥＤに電源を供給する電源供給用配線が少なくとも１本接続され、直線及び曲線の少なくとも１つからなる閉じた形状の電源供給部材と、
ＧＮＤ用配線が少なくとも１本接続され、直線及び曲線の少なくとも１つからなる閉じた形状のＧＮＤ部材と、
前記電源供給部材と前記ＧＮＤ部材との間に設けられ、前記電源供給部材と前記ＧＮＤ部材とを互いに接触しないように固定した絶縁性を有する支え部材とを備え、
前記電源供給部材は少なくとも前記電源供給用配線との接続部である電源供給用接続部に導電性を有し、
前記ＧＮＤ部材は少なくとも前記ＧＮＤ用配線との接続部であるＧＮＤ用接続部に導電性を有し、
前記ＬＥＤ部材は、
前記ＬＥＤのアノードに接続され、前記電源供給部材の前記電源供給用接続部に接触したアノード部材と、
前記ＬＥＤのカソードに接続され、前記ＧＮＤ部材の前記ＧＮＤ用接続部に接触したカソード部材と、
当該ＬＥＤ部材を駆動させる駆動手段とを備え、
当該駆動手段により前記ＬＥＤ部材が前記レール部材上を移動することを特徴とするＬＥＤ装飾部材。
【請求項２】
前記ＬＥＤ部材が複数設けられていることを特徴とする請求項１に記載のＬＥＤ装飾部材。
【請求項３】
前記レール部材において、
前記電源供給用配線又は前記ＧＮＤ用配線が複数設けられ、
前記電源供給用接続部は前記電源供給用配線ごとに絶縁されて設けられており、
前記ＧＮＤ用接続部は前記ＧＮＤ用配線ごとに絶縁されて設けられており、
前記ＬＥＤ部材において、
前記アノード部材は少なくとも１つの前記電源供給用接続部に接触し、
前記カソード部材は少なくとも１つの前記ＧＮＤ用接続部に接触していることを特徴とする請求項２に記載のＬＥＤ装飾部材。
【請求項４】
前記駆動手段は、
モータと、
当該モータの回転にしたがって回転する第１歯車と、
当該第１歯車と噛合して前記モータの回転を伝達する第２歯車とを備え、
当該ＬＥＤ部材の前記レール部材側の面に前記第２歯車が固定されて、当該第２歯車は前記ＬＥＤと前記レール部材との間に介在し、前記アノード部材及び前記カソード部材が当該第２歯車を貫通して、前記アノード部材が前記電源供給部材に接触し、前記カソード部材が前記ＧＮＤ部材に接触していることを特徴とする請求項１乃至３のいずれかに記載のＬＥＤ装飾部材。
【請求項５】
請求項１乃至４のいずれかに記載のＬＥＤ装飾部材を備えた遊技機。
【発明の詳細な説明】
【技術分野】
【０００１】
本発明はＬＥＤ装飾部材及び遊技機に関し、詳細には、ＬＥＤが移動するＬＥＤ装飾部材及び当該ＬＥＤ装飾部材を備えた遊技機に関する。
【背景技術】
【０００２】
従来、パチンコ機やパチスロ機等の遊技機では、各種ランプやＬＥＤを用いて様々な光の演出を行っている。しかしながら、ランプやＬＥＤはその制御を司る電飾基板からの配線が存在するため、ランプやＬＥＤを動かして演出を行うと配線が絡まってしまう。よって、ランプやＬＥＤを動かして演出を行うことができなかった。そこで、特許文献１に記載の遊技機では、ＬＥＤを備えた可動体に電池を持たせて、配線で接続することなく可動体を移動させて、演出に広がりを持たせている。
【特許文献１】特開２００５−２８０３３号公報
【発明の開示】
【発明が解決しようとする課題】
【０００３】
しかしながら、特許文献１に記載の発明の遊技機では、ＬＥＤを備えた可動体を縦横方向に移動させる横駆動部及び縦駆動部という大掛かりな駆動装置が必要となってしまい、ＬＥＤを備えた可動体の動く範囲を大きくしようとすると、駆動装置も大きなものとなってしまうという問題点があり、さらに、可動体の動く範囲内には他の装飾物や役物や釘を配置することができず、稼動体の設置場所にも制限があるという問題点がある。
【０００４】
本発明は、上記課題を解決するためになされたものであり、多彩な演出の可能なＬＥＤ装飾部材及び遊技機を提供することを目的とする。
【課題を解決するための手段】
【０００５】
上記課題を解決するため、請求項１に係る発明のＬＥＤ装飾部材では、遊技機の装飾に用いられるＬＥＤを備えたＬＥＤ装飾部材であって、１つ又は複数の前記ＬＥＤを備えたＬＥＤ部材と、直線及び曲線の少なくとも１つからなる閉じた形状のレール部材とを備え、前記レール部材は、前記ＬＥＤに電源を供給する電源供給用配線が少なくとも１本接続され、直線及び曲線の少なくとも１つからなる閉じた形状の電源供給部材と、ＧＮＤ用配線が少なくとも１本接続され、直線及び曲線の少なくとも１つからなる閉じた形状のＧＮＤ部材と、前記電源供給部材と前記ＧＮＤ部材との間に設けられ、前記電源供給部材と前記ＧＮＤ部材とを互いに接触しないように固定した絶縁性を有する支え部材とを備え、前記電源供給部材は少なくとも前記電源供給用配線との接続部である電源供給用接続部に導電性を有し、前記ＧＮＤ部材は少なくとも前記ＧＮＤ用配線との接続部であるＧＮＤ用接続部に導電性を有し、前記ＬＥＤ部材は、前記ＬＥＤのアノードに接続され、前記電源供給部材の前記電源供給用接続部に接触したアノード部材と、前記ＬＥＤのカソードに接続され、前記ＧＮＤ部材の前記ＧＮＤ用接続部に接触したカソード部材と、当該ＬＥＤ部材を駆動させる駆動手段とを備え、当該駆動手段により前記ＬＥＤ部材が前記レール部材上を移動することを特徴とする構成となっている。
【０００６】
また、請求項２に係る発明のＬＥＤ装飾部材では、請求項１に記載の発明の構成に加えて、前記ＬＥＤ部材が複数設けられていることを特徴とする構成となっている。
【０００７】
また、請求項３に係る発明のＬＥＤ装飾部材では、請求項２に記載の発明の構成に加えて、前記レール部材において、前記電源供給用配線又は前記ＧＮＤ用配線が複数設けられ、前記電源供給用接続部は前記電源供給用配線ごとに絶縁されて設けられており、前記ＧＮＤ用接続部は前記ＧＮＤ用配線ごとに絶縁されて設けられており、前記ＬＥＤ部材において、前記アノード部材は少なくとも１つの前記電源供給用接続部に接触し、前記カソード部材は少なくとも１つの前記ＧＮＤ用接続部に接触していることを特徴とする構成となっている。
【０００８】
また、請求項４に係る発明のＬＥＤ装飾部材では、請求項１乃至３のいずれかに記載の発明の構成に加えて、前記駆動手段は、モータと、当該モータの回転にしたがって回転する第１歯車と、当該第１歯車と噛合して前記モータの回転を伝達する第２歯車とを備え、当該ＬＥＤ部材の前記レール部材側の面に前記第２歯車が固定されて、当該第２歯車は前記ＬＥＤと前記レール部材との間に介在し、前記アノード部材及び前記カソード部材が当該第２歯車を貫通して、前記アノード部材が前記電源供給部材に接触し、前記カソード部材が前記ＧＮＤ部材に接触していることを特徴とする構成となっている。
【０００９】
また、請求項５に係る発明の遊技機は、請求項１乃至４のいずれかに記載のＬＥＤ装飾部材を備えている。
【発明の効果】
【００１０】
請求項１に係る発明のＬＥＤ装飾部材では、また、ＬＥＤ部材のアノード部材は、ＬＥＤのアノードに接続され、電源供給部材の電源供給用接続部に接触することができ、カソード部材は、ＬＥＤのカソードに接続され、ＧＮＤ部材のＧＮＤ用接続部に接触することができる。また、駆動手段はＬＥＤ部材を駆動させることができる。よって、駆動手段によりＬＥＤ部材をレール部材上を移動させながら、ＬＥＤを点灯させることができる。また、ＬＥＤ部材が移動しても電源供給用配線及びＧＮＤ用配線は移動しないので、ＬＥＤ部材が閉じた形状の軌跡を移動し続けても配線が絡まってしまうことがない。したがって、ＬＥＤによる多様な演出を行うことができる。
【００１１】
また、請求項２に係る発明のＬＥＤ装飾部材では、請求項１に記載の発明の効果に加えて、ＬＥＤ部材が複数設けられている。よって、複数のＬＥＤによるより多様な演出を行うことができる。
【００１２】
また、請求項３に係る発明のＬＥＤ装飾部材では、請求項２に記載の発明の効果に加えて、ＬＥＤ部材に接続する電源供給用配線及びＧＮＤ用配線を管理することにより、電源供給用配線とＧＮＤ用配線を指定することにより点灯させるＬＥＤを指定することができる。よって、ＬＥＤによるより多様な演出を行うことができる。
【００１３】
また、請求項４に係る発明のＬＥＤ装飾部材では、請求項１乃至３のいずれかに記載の発明の効果に加えて、駆動手段は、モータに備えられた第１歯車はモータの回転にしたがって回転し、第２歯車は第１歯車と噛合してモータの回転を伝達することができる。そして、ＬＥＤ部材のレール部材側の面に第２歯車が固定されて、第２歯車はＬＥＤとレール部材との間に介在し、アノード部材及びカソード部材が第２歯車を貫通して、アノード部材が電源供給部材に接触し、カソード部材がＧＮＤ部材に接触することができるので、第２歯車の回転と共にＬＥＤ部材が移動することになる。よって、第２歯車の形状を軌跡としてＬＥＤを確実に移動させることができる。
【００１４】
また、請求項５に係る発明の遊技機では、請求項１乃至４のいずれかに記載のＬＥＤ装飾部材を備えているので、ＬＥＤによる多様な演出を行うことができる。
【発明を実施するための最良の形態】
【００１５】
以下、本発明に係る遊技機の一実施の形態であるパチンコ機１及び本発明に係るＬＥＤ装飾部材の一実施の形態であるダイナミックＬＥＤ装飾部材８１，スタティックＬＥＤ装飾部材９１について、図面を参照して説明する。まず、図１を参照して、本発明のＬＥＤ装飾部材８１，９１を備えたパチンコ機１の機械的構成について説明する。図１は、パチンコ機１の正面図である。
【００１６】
図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり、透明なガラス板を保持したガラス枠１３で保護されている。遊技盤２の下方部には、発射機に遊技球を供給し、かつ賞品球を受ける上皿５が設けられている。そして、上皿５の直下には、賞品球を受ける下皿６が設けられ、下皿６の右横には遊技球の発射を調整する発射ハンドル７が設けられている。さらに、上皿５と下皿６との間にはスピーカ４８がそれぞれ設けられている。
【００１７】
また、遊技盤２の前面にはガイドレール（図示外）で囲まれた略円形の遊技領域４が設けられている。この遊技領域４の略中央には、ＬＣＤから構成された特別図柄表示画面や普通図柄表示部、各種ランプ、ＬＥＤを備えた特別図柄表示装置８が設けられている。この特別図柄表示装置８の左右上方には電飾風車９，１０がそれぞれ設けられている。また、特別図柄表示装置８の左側方には普通図柄始動ゲート１２が設けられている。また、特別図柄表示装置８の下側には特別図柄始動電動役物１５が設けられている。そして、その特別図柄始動電動役物１５の下方に、大入賞口１６が設けられている。そして、特別図柄始動電動役物１５の左右には普通入賞口１９，２０がそれぞれ設けられており、大入賞口１６の左右にも普通入賞口１７，１８がそれぞれ設けられている。
【００１８】
さらに、遊技盤２の特別図柄表示装置８の周囲には本発明の要部であるダイナミックＬＥＤ装飾部材８１が設けられており、特別図柄始動電動役物１５の周囲にも本発明の要部であるスタティックＬＥＤ装飾部材９１が設けられている。図２はダイナミックＬＥＤ装飾部材８１のイメージ図であり、図３はスタティックＬＥＤ装飾部材９１のイメージ図である。なお、遊技盤２には、上記以外に、種々の電飾ランプ６３（図４参照）、その他の電飾用のＬＥＤ６２（図４参照）、風車及び多数の障害釘等が設けられている。
【００１９】
図２に示すように、ダイナミックＬＥＤ装飾部材８１では、平面視、所定幅を有するリング状のレール部材８３の９箇所にＬＥＤ１８１〜１８９が設けられている。本実施の形態では、ＬＥＤ１８１は赤色のＬＥＤであり、ＬＥＤ１８２は黄色のＬＥＤであり、ＬＥＤ１８３は緑色のＬＥＤであり、ＬＥＤ１８４は赤色のＬＥＤであり、ＬＥＤ１８５は黄色のＬＥＤであり、ＬＥＤ１８６は緑色のＬＥＤであり、ＬＥＤ１８７は赤色のＬＥＤであり、ＬＥＤ１８８は黄色のＬＥＤであり、ＬＥＤ１８９は緑色のＬＥＤである。このダイナミックＬＥＤ装飾部材８１のＬＥＤ１８１〜１８９は、後述する駆動手段によりレール部材８３上を軌跡として移動する（ＬＥＤ１８１〜１８９が回転する）。また、このダイナミックＬＥＤ装飾部材８１では、点灯させるＬＥＤを指定することができる。よって、例えば、大当たり抽選結果の報知にＬＥＤ１８１〜１８９を点灯させて、遊技者の注意をひくことができる。また、大当たり抽選結果の報知において、リーチとなった場合に、大当たりとなる確率の大きいリーチではダイナミックＬＥＤ装飾部材８１を回転させて遊技者への期待感を高めたり、リーチアクションの種類によって点灯させる色を変化させて大当たりへの期待度を表示したり、回転速度を変化させて大当たりの期待度を表示したりすることができる。
【００２０】
また、図３に示すように、スタティックＬＥＤ装飾部材９１では、平面視、所定幅を有するリング状のレール部材９３の５箇所にＬＥＤ１９１〜１９５が設けられている。本実施の形態では、ＬＥＤ１９１は赤色のＬＥＤであり、ＬＥＤ１９２は青色のＬＥＤであり、ＬＥＤ１９３は黄色のＬＥＤであり、ＬＥＤ１９４は緑色のＬＥＤであり、ＬＥＤ１９５は橙色のＬＥＤである。このスタティックＬＥＤ装飾部材９１もＬＥＤ１９１〜１９５がレール部材９３上を軌跡として移動する（ＬＥＤ１９１〜１９５が回転する）。このスタティックＬＥＤ装飾部材９１は、全てのＬＥＤ１９１〜１９５を同時に点灯させる。よって、例えば、特別図柄始動電動役物１５が入賞しやすい状態に開放されている場合には、スタティックＬＥＤ装飾部材９１を回転させて、遊技者の注意をひくことができる。
【００２１】
次に、本実施の形態のパチンコ機１の電気的構成及び電飾制御基板４６の電気的構成について、図４及び図５を参照して説明する。図４は、パチンコ機１の電気的回路構成を示すブロック図であり、図５は、電飾制御基板４６及びそれに接続したダイナミックＬＥＤ装飾部材８１とスタティックＬＥＤ装飾部材９１との電気的構成を示すブロック図である。
【００２２】
図４に示すように、制御部４０は、主基板４１、電源基板４２、音声制御基板４３、図柄制御基板４４、払出制御基板４５、電飾制御基板４６、中継基板４７及びサブ統合基板５８から構成されている。この制御部４０は、パチンコ機１（図１参照）の裏側（背面側）に設けられている。
【００２３】
パチンコ機１の主制御を司る主基板４１には、プログラムにしたがって各種の処理を行うＣＰＵユニット５０が設けられている。このＣＰＵユニット５０には、各種の演算処理を行うＣＰＵ５１と、フラグやカウンタ等の演算処理中に発生するデータの値等を一時的に記憶するＲＡＭ５２と、制御プログラム、各種データの初期値、他の基板への指示を行うコマンド等を記憶したＲＯＭ５３とが設けられており、これらは一つのＬＳＩとして一体にモールディングされている。また、ＣＰＵユニット５０には割込信号発生回路５７が接続され、この割込信号発生回路５７は、例えば、０．００２秒（以下、「２ｍｓ」と略す。）毎にＣＰＵ５１に割込信号を与えるようになっている。ＣＰＵ５１は、この割込信号が入力される毎にＲＯＭ５３に記憶されている制御プログラムを実行し、この制御プログラムにしたがってパチンコ機１の制御を行う。
【００２４】
また、主基板４１にはＩ／Ｏインタフェイス５４が設けられており、サブ統合基板５８、払出制御基板４５、中継基板４７等のサブ基板に接続されている。さらに、音声制御基板４３、図柄制御基板４４及び電飾制御基板４６は、サブ統合基板５８を介して主基板４１に接続されている。払出制御基板４５は賞品球払出装置４９の制御を行い、中継基板４７はスイッチやソレノイドの配線の中継を行っている。また、サブ統合基板５８は音声制御基板４３、図柄制御基板４４、電飾制御基板４６の総合的な制御を行っており、音声制御基板４３はパチンコ機１の効果音の発生を制御し、図柄制御基板４４は特別図柄表示装置８の特別図柄表示画面や普通図柄表示部２４に表示される図柄の制御を行い、電飾制御基板４６は、本発明の要部であるダイナミックＬＥＤ装飾部材８１，スタティックＬＥＤ装飾部材９１及びパチンコ機１の各電飾の発光態様を制御している。なお、サブ統合基板５８にはＣＰＵ５８１、ＲＡＭ５８２及びＲＯＭ５８３が設けられている。そして、音声制御基板４３にはＣＰＵ４３ａや図示外の入力インタフェイス、ＲＡＭ及びＲＯＭが内蔵されており、図柄制御基板４４にはＣＰＵ４４ａや図示外の入力インタフェイス、ＲＡＭ及びＲＯＭが内蔵されている。さらに、払出制御基板４５にはＣＰＵ４５ａや図示外の入力インタフェイス、ＲＡＭ及びＲＯＭが内蔵されている。また、主基板４１のＩ／Ｏインタフェイス５４には、図示外の遊技場管理用コンピュータにパチンコ機１の情報を出力する出力ポート５５が接続されている。
【００２５】
電飾制御基板４６には、本発明の要部であるダイナミックＬＥＤ装飾部材８１，スタティックＬＥＤ装飾部材９１、電飾風車９，１０、４個のＬＥＤから構成された普通図柄記憶数表示ＬＥＤ５９、４個のＬＥＤから構成された特別図柄記憶数表示ＬＥＤ６０、電飾用のＬＥＤ６２、及び電飾ランプ６３が接続されている。また、図柄制御基板４４には特別図柄表示装置８及び普通図柄表示部２４が接続され、音声制御基板４３にはスピーカ４８が接続され、払出制御基板４５には賞品球払出装置４９が接続されている。さらに、中継基板４７には、大入賞口１６の開閉部材を開放・閉鎖する大入賞口開放ソレノイド７０、特別図柄始動電動役物１５の開閉部材を開放・閉鎖する電動役物開放ソレノイド７１、特別図柄始動電動役物１５に入賞した遊技球を検出する始動口スイッチ７２、普通図柄始動ゲート１２に入賞した遊技球を検出する普通図柄作動スイッチ７３、大入賞口１６に入賞した遊技球数を計数するためのカウントスイッチ７５、普通入賞口１７，１８，１９，２０に入賞した遊技球を検出する入賞口スイッチ７６が接続されている。なお、特別図柄始動電動役物１５、大入賞口１６、普通入賞口１７，１８，１９，２０に遊技球が入賞すると、所定数の遊技球が払い出される。
【００２６】
また、電源基板４２は、主基板４１、音声制御基板４３、図柄制御基板４４、払出制御基板４５、電飾制御基板４６及びサブ統合基板５８を各々接続し、直流の安定化した電力を供給している。なお、電源基板４２には交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を各基板へ供給できるようになっている。なお、図４では、特に図示しないが、主基板４１、電源基板４２、音声制御基板４３、図柄制御基板４４、払出制御基板４５、電飾制御基板４６、中継基板４７及びサブ統合基板５８は、すべてアースラインで接続されている。
【００２７】
図５に示すように、電飾制御基板４６にはＣＰＵ４６ａが設けられており、サブ統合基板５８に接続され、サブ統合基板５８からの各種コマンドを受信する。そして、ＣＰＵ４６ａは、ダイナミックＬＥＤ装飾部材８１のＬＥＤ１８１〜１８９の点灯を制御するＩＣである直流駆動用ＬＥＤドライバ８８、スタティックＬＥＤ装飾部材９１のＬＥＤ１９１〜１９５を制御するＩＣであるパルス駆動用ＬＥＤドライバ９８が接続されている。また、ＣＰＵ４６ａには、Ｉ／Ｏインタフェイ４６ｂを介して、ダイナミックＬＥＤ装飾部材８１のモータ８２及びスタティックＬＥＤ装飾部材９１のモータ９２が接続されている。これらのモータ８２，９２は、ＬＥＤ装飾部材８１，９１のＬＥＤを駆動させるためのモータである。なお、図５では特に図示しないが、電飾制御基板４６にはその他の電飾用のＬＥＤ６２や電飾ランプ６３、電飾風車９，１０、普通図柄記憶数表示ＬＥＤ５９、特別図柄記憶数表示ＬＥＤ６０等が接続されている。
【００２８】
ＣＰＵ４６ａはサブ統合基板５８から遊技の演出のための各種コマンドを受信すると、そのコマンドにしたがって、ダイナミックＬＥＤ装飾部材８１、スタティックＬＥＤ装飾部材９１、電飾用のＬＥＤ６２、電飾ランプ６３、電飾風車９，１０等を点灯させたり、ダイナミックＬＥＤ装飾部材８１，スタティックＬＥＤ装飾部材９１を回転させたりする。または、コマンドにしたがってさらに演出方法の抽選を行った後に、抽選結果にしたがってダイナミックＬＥＤ装飾部材８１、スタティックＬＥＤ装飾部材９１、電飾用のＬＥＤ６２、電飾ランプ６３、電飾風車９，１０等を点灯させたり、ダイナミックＬＥＤ装飾部材８１，スタティックＬＥＤ装飾部材９１を回転させたりする。
【００２９】
図５に示すように、直流駆動用ＬＥＤドライバ８８には電流を供給する接続口であり、ＬＥＤのアノードを接続するための端子であるＣＯＭ１，ＣＯＭ２，ＣＯＭ３が設けられており、さらにＬＥＤのカソードを接続するための端子であるＳＥＧ１，ＳＥＧ２，ＳＥＧ３が設けられている。そして、ダイナミックＬＥＤ装飾部材８１からは、ＣＯＭ１に接続するための電源供給用配線４８１、ＣＯＭ２に接続するための電源供給用配線４８２、ＣＯＭ３に接続するための電源供給用配線４８３、ＳＥＧ１に接続するためのＧＮＤ用配線４８６、ＳＥＧ２に接続するためのＧＮＤ用配線４８７、ＳＥＧ３に接続するためのＧＮＤ用配線４８８が設けられている。
【００３０】
そして、ダイナミックＬＥＤ装飾部材８１のＬＥＤ１８１〜１８９は３個×３個のマトリクス状に配置されており、ＣＯＭ１〜ＣＯＭ３，ＳＥＧ１〜ＳＥＧ３を選択的にＯＮ／ＯＦＦすることにより、点灯させるＬＥＤを指定することができる。赤色ＬＥＤ１８１はＣＯＭ１とＳＥＧ１とに接続され、赤色ＬＥＤ１８４はＣＯＭ２とＳＥＧ１とに接続され、赤色ＬＥＤ１８７はＣＯＭ３とＳＥＧ１とに接続され、黄色ＬＥＤ１８２はＣＯＭ１とＳＥＧ２とに接続され、黄色ＬＥＤ１８５はＣＯＭ２とＳＥＧ２とに接続され、黄色ＬＥＤ１８８はＣＯＭ３とＳＥＧ２とに接続され、緑色ＬＥＤ１８３はＣＯＭ１とＳＥＧ３とに接続され、緑色ＬＥＤ１８６はＣＯＭ２とＳＥＧ３とに接続され、緑色ＬＥＤ１８９はＣＯＭ３とＳＥＧ３とに接続されている。したがって、直流駆動用ＬＥＤドライバ８８の制御により、ＣＯＭ１とＳＥＧ１とが「ＯＮ」となった場合には、赤色ＬＥＤ１８１に電流が流れて点灯することとなる。また、黄色ＬＥＤ１８５，１８８と緑色ＬＥＤ１８９とを同時に点灯させるためには、ＣＯＭ２，ＣＯＭ３，ＳＥＧ２，ＳＥＧ３が「ＯＮ」とされる。
【００３１】
また、ＣＯＭ１と電源供給用配線４８１との間には電圧を調整するための抵抗８９１が接続されており、ＣＯＭ２と電源供給用配線４８２との間には抵抗８９２が接続されており、ＣＯＭ３と電源供給用配線４８３との間には抵抗８９３が接続されている。なお、図５における縦の列には、電圧を安定化させるために同じ色のＬＥＤが配置され、抵抗８９１にはＬＥＤ１８１，ＬＥＤ１８２，ＬＥＤ１８３に必要な電圧に基づいて算出された値の抵抗により近い値の規格品の抵抗が備えられ、抵抗８９２にはＬＥＤ１８４，ＬＥＤ１８５，ＬＥＤ１８６に必要な電圧に基づいて算出された値の抵抗より近い値の規格品の抵抗が備えられ、抵抗８９３にはＬＥＤ１８７，ＬＥＤ１８８，ＬＥＤ１８９に必要な電圧に基づいて算出された値の抵抗より近い値の規格品の抵抗が備えられる。図５に示す例では、１２Ｖで２０ｍＡの電流が供給されるとすると、赤色ＬＥＤの必要電圧は約１．８V、黄色ＬＥＤの必要電圧は約２．０Ｖ、緑色ＬＥＤの必要電圧は約３．５Ｖであるので、抵抗８９１〜８９３はともに３９０Ωの電圧が設置される。
【００３２】
また、図５に示すように、パルス駆動用ＬＥＤドライバ９８には、ＬＥＤのアノードが接続され、ＤＣ１２Ｖの電源を供給する為の接続口が設けられており、スタティックＬＥＤ装飾部材９１の電源供給用配線３９１が接続されている。また、パルス駆動用ＬＥＤドライバ９８には、ＬＥＤのカソードと接続するための接続口が設けられており、スタティックＬＥＤ装飾部材９１のＧＮＤ用配線３９６が抵抗９９を介して接続されている。
【００３３】
スタティックＬＥＤ装飾部材９１には、５つのＬＥＤ１９１〜１９５が直列に接続されており、パルス駆動用ＬＥＤドライバ９８から電流が供給されると、すべてのＬＥＤ１９１〜１９５が点灯することとなる。パルス駆動用ＬＥＤドライバ９８には、パルス発振器９８１、抵抗９８２、トランジスタ９８３が設けられており、パルス発振器９８１がＣＰＵ４６ａからの指示にしたがってパルスを出力すると、トランジスタ９８３の働きにより、ＤＣ１２Ｖの電流がスタティックＬＥＤ装飾部材９１のＬＥＤ１９１〜１９５へ流れて、ＬＥＤ１９１〜１９５が点灯する。また、スタティックＬＥＤ装飾部材９１では、パルスの出力の間隔により、ＬＥＤ１９１〜１９５の輝度の調整をすることができる。パルスの出力間隔が短いほどＬＥＤ１９１〜１９５の輝度は高くなる。
【００３４】
次に、図６及び図７を参照して、スタティックＬＥＤ装飾部材９１の構造について説明する。図６は、スタティックＬＥＤ装飾部材９１を簡略化した斜視図であり、図７は、ＬＥＤ１９１がモータ９２と隣り合う位置に来ている際に、モータ９２の回転軸９２１と平行に回転軸９２１を通るように、レール部材９３への接線と垂直に交わるように切断した断面図である。図６においては簡単のために２つのＬＥＤ１９１，１９２のみの記載とする。スタティックＬＥＤ装飾部材９１は、平面視、所定幅を有するリング状のレール部材９３と、ＬＥＤ１９１，１９２を備えたＬＥＤ部材９４とで構成されている。
【００３５】
レール部材９３は、平面視、所定幅を有するリング状の板部材であるＧＮＤ部材９３２と、平面視、所定幅を有するリング状の板部材である電源供給部材９３１と、平面視、所定幅（ＧＮＤ部材９３２及び電源供給部材９３１よりも狭い幅）のリング状の所定の厚みを持った板部材で絶縁性を有する支え部材９３３とを積層して構成されている。ＧＮＤ部材９３２と電源供給部材９３１とはほぼ同一の大きさをしており、支え部材９３３をその間に介して垂直方向に積層配置されている。そして、ＧＮＤ部材９３２にはＧＮＤ用配線３９６が接続されており、ＧＮＤ用配線３９６は支え部材９３３の内部を通って、支え部材９３３の高さ方向の略中央から、ＧＮＤ部材９３２の内側方向に排出され、電飾制御基板４６のパルス駆動用ＬＥＤドライバ９８に接続されている。また、電源供給部材９３１には電源供給用配線３９１が接続されており、支え部材９３３の内部を通って、支え部材９３３の高さ方向の略中央から、レール部材９３の内側方向に排出されている。また、電源供給部材９３１の底面の内側には、電源供給部材９３１の円周に平行して溝９３１１が設けられており、ＧＮＤ部材９３２の上面の内側には同じく円周に平行して溝９３２１が設けられている。
【００３６】
また、ＬＥＤ部材９４は、第１歯車９２３，第２歯車９２２，モータ９２，ＬＥＤ１９１，ＬＥＤ台座２９１，アノード部材２９６，カソード部材２９７とで構成されている。第１歯車９２３は、略円形の板状の歯車であり、電源供給部材９３１やＧＮＤ部材９３２の外周よりも歯の分だけ外周は大きくなっている。また、第２歯車９２２はモータ９２の回転軸９２１に備えられており、第１歯車９２３に噛合し、モータ９２の回転軸９２１の回転を第２歯車９２３へ伝達している。
【００３７】
そして、第１歯車９２３の上面には、ＬＥＤ１９１を備えたＬＥＤ台座２９１が固着されており、ＬＥＤ台座２９１が固着されている位置の背面には、アノード部材２９６及びカソード部材２９７が固着されている。ＬＥＤ台座２９１の上面にはＬＥＤ１９１が設けられている。そして、ＬＥＤ台座２９１には導電性のアノード用導電部２９４及びカソード用導電部２９５が設けられている。そして、ＬＥＤ台座２９１の上面から底面へ向けてアノード用導電部２９４及びカソード用導電部２９５が貫通しており、アノード用導電部２９４の上部はＬＥＤ１９１のアノード２９２に接続され、カソード用導電部２９５はＬＥＤ１９１のカソード２９３に接続されている。また、アノード用導電部２９４及びカソード用導電部２９５の下部はＬＥＤ台座２９１から突出しており、第１歯車９２３を貫通している。そして、アノード用導電部２９４はアノード部材２９６に固着され、カソード用導電部２９５はカソード部材２９７に固着されている。したがって、ＬＥＤ１９１のアノード２９２はアノード部材２９６に接続され、カソード２９３はカソード部材２９７に接続されている。
【００３８】
また、第１歯車９２３におけるＬＥＤ台座２９１が固着されている位置の背面側の内側寄りに、アノード部材２９６の略長方形の薄い板状部分２９６１が固着されている。そして、板状部分２９６１の内側の端から図７における下方に向けて薄い板状部分２９６２が立設され、その端から第１歯車９２３の外側に向けて、底面に固着されている板状部分２９６１よりも短い長さで薄い板状部分２９６３が立設されている。そして、板状部材２９６３の端が上方向に突出し、この突出部２９６４がレール部材９３の電源供給部材９３１の溝９３１１に嵌合している。つまり、アノード部材２９６は、第１歯車９２３の底面に固着されており、レール部材９３の電源供給部材９３１の内側の端を回り込むようにして、嵌合している。この嵌合における接触面が電源供給部材９３１とアノード部材２９６との接触面となる。
【００３９】
また、第１歯車９２３におけるＬＥＤ台座２９１が固着されている位置の背面側の外側寄りに、カソード部材２９７の略長方形の薄い板状部分２９７１が固着されている。そして、板状部分２９７１の外側の端から下方に向けて薄い板状部材２９７２が、レール部材９３の図７における上下方向の長さよりも長く立設されている。そしてさらに、板状部材２９７２の端から薄い板状部材２９７３が第１歯車９２３と平行になるように、レール部材９３のＧＮＤ部材９３２の図７における左右方向よりも長く立設されている。そしてさらに、板状部材２９７３の端から図７における上方向に向けて薄い板状部材２９７４が立設されている。そして、板状部材２９７４の端から第１歯車９２３の外側に向けて薄い板状部分２９７５が立設されており、その端が下方向に突出し、この突出部２９７６がレール部材９３のＧＮＤ部材９３２の溝９３２１に嵌合している。つまり、レール部材９３はカソード部材２９７に包み込まれており、さらに、第１歯車９２３に固着されていない側のカソード部材２９７の端が、ＧＮＤ部材９３２の内側の端を回りこむようにして、嵌合している。そして、この嵌合における接触面がＧＮＤ部材９３２とカソード部材２９７との接触面となる。
【００４０】
このようにして、ＬＥＤ部材９４のアノード部材２９６がレール部材９３の電源供給部材９３１に嵌合し、カソード部材２９７がレール部材９３のＧＮＤ部材９３２に嵌合して、ＬＥＤ部材９４はレール部材９３に設置されている。そして、電源供給部材９３１及びＧＮＤ部材９３２は導電性の物質で形成されており、アノード部材２９６及びカソード部材２９７も導電性の物質で形成されているので、電源供給用配線３９１から供給された電流は、電源供給部材９３１を通り、アノード部材２９６を通り、ＬＥＤ台座２９１のアノード用導電部２９４を通り、ＬＥＤ１９１のアノード２９２へ供給される。そして、ＬＥＤ１９１を点灯させて、ＬＥＤ１９１のカソード２９３を通り、ＬＥＤ台座２９１のカソード用導電部２９５を通り、カソード部材２９７を通り、レール部材９３のＧＮＤ部材９３２を通って、ＧＮＤ用配線３９６へ流出することとなる。
【００４１】
また、ＬＥＤ部材９４には第１歯車９２３が備えられており、モータ９２の回転により回転する第２歯車９２２の回転が伝達されるので、モータ９２が回転すると第１歯車９２３も回転し、第１歯車上に固着されているＬＥＤ台座２９１、アノード部材２９６及びカソード部材２９７が移動することとなる。よって、モータ９２を回転させれば、ＬＥＤを点灯させた状態でレール部材９３の軌跡を移動させる（回転させる）ことができる。しかしながら、ＬＥＤが複数設置されていたとしても、配線は電源供給用配線３９１及びＧＮＤ用配線３９６の２本のみであり、レール部材９３の支え部材９３３の所定の位置に固定されて延びているだけなので、ＬＥＤ部材９４の移動により配線が移動することはないので、配線が絡まってしまうことがない。
【００４２】
次に、図８及び図９を参照して、ダイナミックＬＥＤ装飾部材８１について説明する。図８は、ダイナミックＬＥＤ装飾部材８１を簡略化した斜視図であり、図９は、ＬＥＤ１８１がモータ８２と隣り合う位置に来ている際に、モータ８２の回転軸８２１と平行に回転軸８２１を通るように、レール部材８３への接線と垂直に交わるように切断した断面図である。ダイナミックＬＥＤ装飾部材８１は、スタティックＬＥＤ装飾部材９１と同様に、平面視、所定幅を有するリング状のレール部材８３と、ＬＥＤ１８１，１８２を備えたＬＥＤ部材８４とで構成されているが、レール部材８３とＬＥＤ部材８４との接続方法がスタティックＬＥＤ装飾部材９１とは異なる。
【００４３】
レール部材８３は、平面視、所定幅を有するリング状の板部材で円の中心側の端部が上方向に突出しているＧＮＤ部材８３２と、平面視、所定幅を有するリング状の板部材で円の中心側の端部が下方向に突出している電源供給部材８３１と、平面視、所定幅（ＧＮＤ部材８３２及び電源供給部材８３１よりも狭い幅）を有するのリング状の所定の厚みを持った板部材で絶縁性を有する支え部材８３３とで構成されている。これらのＧＮＤ部材８３２，電源供給部材８３１，支え部材８３３は絶縁性を有している。ＧＮＤ部材８３２と電源供給部材８３１とはほぼ同一の大きさをしており、支え部材８３３をその間に介して平行に配置されている。
【００４４】
そして、ＧＮＤ部材８３２の上面における支え部材８３３よりも内側に導電性のＧＮＤ用接続部３８６，３８７，３８８が設けられており、ＧＮＤ用配線４８６，４８７，４８８にそれぞれ接続されている。そして、ＧＮＤ用配線４８６，４８７，４８８は絶縁性のＧＮＤ部材８３２及び支え部材８３３の内部を通って、支え部材８３３の高さ方向の略中央から、ＧＮＤ部材８３２の内側方向に排出され、それぞれ電飾制御基板４６の直流駆動用ＬＥＤドライバ８８の端子であるＣＯＭ１，ＣＯＭ２，ＣＯＭ３に接続されている。また、電源供給部材８３１の底面における支え部材８３３よりも内側に伝導性の電源供給用接続部３８１，３８２，３８３が設けられており、電源供給用配線４８１，４８２，４８３がそれぞれ接続されている。そして、電源供給用配線４８１，４８２，４８３は絶縁性の電源供給部材８３１の及び支え部材８３３の内部を通って、支え部材８３３の高さ方向の略中央から、電源供給部材８３１の内側方向に排出され、それぞれ電飾制御基板４６の直流駆動用ＬＥＤドライバ８８の端子であるＳＥＧ１，ＳＥＧ２，ＳＥＧ３に接続されている。
【００４５】
また、ＬＥＤ部材８４は、第１歯車８２３，第２歯車８２２，モータ８２，ＬＥＤ１８１，ＬＥＤ台座２８１，アノード部材２８６，カソード部材２８７とで構成されている。第１歯車８２３は、略円形の板状の歯車であり、電源供給部材８３１やＧＮＤ部材８３２の外周よりも歯の分だけ外周は大きくなっている。また、第２歯車８２２はモータ８２の回転軸８２１に備えられており、第１歯車８２３に噛合し、モータ８２の回転軸８２１の回転を第２歯車８２３へ伝達している。
【００４６】
そして、第１歯車８２３の上面には、ＬＥＤ１８１を備えたＬＥＤ台座２８１が固着されており、ＬＥＤ台座２８１が固着されている位置の背面には、アノード部材２８６及びカソード部材２８７が固着されている。ＬＥＤ台座２８１の上面にはＬＥＤ１８１が設けられている。そして、ＬＥＤ台座２８１には導電性のアノード用導電部２８４及びカソード用導電部２８５が設けられている。そして、ＬＥＤ台座２８１の上面から底面へ向けてアノード用導電部２８４及びカソード用導電部２８５が貫通しており、アノード用導電部２８４の上部はＬＥＤ１８１のアノード２８２に接続され、カソード用導電部２８５はＬＥＤ１８１のカソード２８３に接続されている。また、アノード用導電部２８４及びカソード用導電部２８５の下部はＬＥＤ台座２８１から突出しており、第１歯車８２３を貫通している。そして、アノード用導電部２８４はアノード部材２８６に固着され、カソード用導電部２８５はカソード部材２８７に固着されている。したがって、ＬＥＤ１８１のアノード２８２はアノード部材２８６に接続され、カソード２８３はカソード部材２８７に接続されている。
【００４７】
また、第１歯車８２３におけるＬＥＤ台座２８１が固着されている位置の背面側の内側寄りに、アノード部材２８６の略長方形の薄い板状部分２８６１が固着されている。そして、板状部分２８６１の内側の端から図９における下方に向けて薄い板状部分２８６２が立設され、その端から第１歯車８２３の外側に向けて、底面に固着されている板状部分２８６１よりも短い長さで薄い板状部分２８６３が立設されており、その付け根部分に溝２８６４が図９の紙面に垂直な方向、すなわち、電源供給部材８３１の円周方向に設けられている。そして、溝２８６４でない面には電源供給用接続部３８１，３８２，３８３のいずれかと接触するための、導電性のアノード接触部２８６９が設けられている。そして、溝２８６４には電源供給部材８３１の突出部が嵌合している。
【００４８】
つまり、アノード部材２８６は、第１歯車８２３の底面に固着されており、レール部材８３の電源供給部材８３１の内側の端を回り込むようにして嵌合し、アノード接触部２８６９は電源供給用接続部３８１，３８２，３８３のいずれかに接触している。アノード接触部２８６９の設置位置により、電源供給用接続部３８１，３８２，３８３のうちのどの電源供給用接続部と接触するかが決定される。なお、電源供給用接続部３８１に接触して電源供給用配線４８１に接続する場合にはＣＯＭ１に接続され、電源供給用接続部３８２に接触して電源供給用配線４８２に接続する場合にはＣＯＭ２に接続され、電源供給用接続部３８３に接触して電源供給用配線４８３に接続する場合にはＣＯＭ３に接続する。
【００４９】
また、第１歯車８２３におけるＬＥＤ台座２８１が固着されている位置の背面側の外側寄りに、カソード部材２８７の略長方形の薄い板状部分２８７１が固着されている。そして、板状部分２８７１の外側の端から下方に向けて薄い板状部材２８７２が、レール部材８３の図９における上下方向の長さよりも長く立設されている。そしてさらに、板状部材２８７２の端から薄い板状部材２８７３が第１歯車８２３と平行になるように、レール部材８３のＧＮＤ部材８３２の図９における左右方向よりも長く立設されている。そしてさらに、板状部材２８７３の端から図９における上方向に向けて薄い板状部材２８７４が立設されている。そして、板状部材２８７４の端から第１歯車８２３の外側に向けて薄い板状部分２８７５が立設されており、その付け根部分に溝２８７６が図９の紙面に垂直な方向、すなわち、ＧＮＤ部材８３２の円周方向に設けられている。そして、溝２８７６でない面にはＧＮＤ用接続部３８６，３８７，３８８のいずれかと接触するための、導電性のカソード接触部２８７９が設けられいる。そして、溝２８７６にはＧＮＤ部材８３２の突出部が嵌合している。
【００５０】
つまり、レール部材８３はカソード部材２８７に包み込まれており、さらに、第１歯車８２３に固着されていない側のカソード部材２８７の端が、ＧＮＤ部材８３２の内側の端を回りこむようにして、嵌合し、カソード接触部２８７９とＧＮＤ用接続部３８６，３８７，３８８のいずれかと接触している。カソード接触部２８７９の設置位置により、ＧＮＤ用接続部３８６，３８７，３８８のうちのどのＧＮＤ用接続部と接触するかが決定される。なお、ＧＮＤ用接続部３８６に接触してＧＮＤ用配線４８６に接続する場合にはＳＥＧ１に接続され、ＧＮＤ用接続部３８７に接触してＧＮＤ用配線４８７に接続する場合にはＳＥＧ２に接続され、ＧＮＤ用接続部３８８に接触してＧＮＤ用配線４８８に接続する場合にはＳＥＧ３に接続する。
【００５１】
図９に示す例では、一番外側の電源供給用接続部３８１にアノード接触部２８６９が接続され、一番外側のＧＮＤ用接続部３８６にカソード接触部２８７９が接続されているので、このＬＥＤ１８１はＣＯＭ１及びＳＥＧ１に接続されている。
【００５２】
このようにして、ＬＥＤ部材８４のアノード部材２８６がレール部材８３の電源供給部材８３１に嵌合し、カソード部材２８７がレール部材８３のＧＮＤ部材８３２に嵌合して、ＬＥＤ部材８４はレール部材８３に設置されている。そして、アノード接触部２８６９及びカソード接触部２８７９は導電性の物質で形成されており、電源供給用接続部３８１，３８２，３８３、ＧＮＤ用接続部３８６，３８７，３８８も導電性の物質で形成されているので、電源供給用配線４８１から供給された電流は、電源供給用接続部３８１を通り、アノード接触部２８６９を通り、アノード部材２８６を通り、ＬＥＤ台座２８１のアノード用導電部２８４を通り、ＬＥＤ１８１のアノード２８２へ供給される。そして、ＬＥＤ１８１を点灯させて、ＬＥＤ１８１のカソード２８３を通り、ＬＥＤ台座２８１のカソード用導電部２８５を通り、カソード部材２８７を通り、カソード接触部２８７９を通り、レール部材８３のＧＮＤ用接続部３８６を通って、ＧＮＤ用配線４８６へ流出することとなる。
【００５３】
また、ＬＥＤ部材８４には第１歯車８２３が備えられており、モータ８２の回転により回転する第２歯車８２２の回転が伝達されるので、モータ８２が回転すると第１歯車８２３も回転し、第１歯車上に固着されているＬＥＤ台座２８１、アノード部材２８６及びカソード部材２８７が移動することとなる。よって、モータ８２を回転させれば、ＬＥＤを点灯させた状態でレール部材８３の軌跡を移動させる（回転させる）ことができる。しかしながら、ＬＥＤが複数設置されていたとしても、配線は電源供給用配線４８１，４８２，４８３及びＧＮＤ用配線４８６，４８７，４８８の６本であり、レール部材８３の支え部材８３３の所定の位置に固定されて延びているだけなので、ＬＥＤ部材８４の移動により配線が移動することはないので、配線が絡まってしまうことがない。
【００５４】
なお、本発明は、以上詳述した実施の形態に限定されるものではなく、種々の変更が可能である。本発明の遊技機はパチンコ機に限らず、パチコン機、パチスロ機等、遊技媒体を使用する各種の遊技機であってもよいことは言うまでもない。また、本発明のＬＥＤ装飾部材を使用する装置は遊技機に限らない。
【００５５】
また、ＬＥＤ装飾部材のＬＥＤ部材とレール部材との接続方法は上記実施の形態に限らず、ＬＥＤ部材のアノード部材とカソード部材とがそれぞれ独立してレール部材の電源供給用接続部及びＧＮＤ用接続部とに接続すればよい。また、上記実施の形態のＬＥＤ装飾部材では、レール部材は平面視略円形であるが、本発明のＬＥＤ装飾部材のレール部材の形状は必ずしも円形である必要はなく、楕円形や角に丸みを持たせた多角形等であってもよい。また、その際には、駆動手段として歯車を用いるのではなく、チェーンやベルトを用いてもよい。
【産業上の利用可能性】
【００５６】
本発明の遊技機はパチンコ機１に限られず、パチコン機、パチスロ機等の各種の遊技機に適用可能である。また、本発明のＬＥＤ装飾部材は遊技機に限らず、他の装置においても適用可能である。
【図面の簡単な説明】
【００５７】
【図１】パチンコ機１の正面図である。
【図２】ダイナミックＬＥＤ装飾部材８１のイメージ図である。
【図３】スタティックＬＥＤ装飾部材９１のイメージ図である。
【図４】パチンコ機１の電気的回路構成を示すブロック図である。
【図５】電飾制御基板４６及びそれに接続したダイナミックＬＥＤ装飾部材８１とスタティックＬＥＤ装飾部材９１との電気的構成を示すブロック図である。
【図６】スタティックＬＥＤ装飾部材９１を簡略化した斜視図である。
【図７】ＬＥＤ１９１がモータ９２と隣り合う位置に来ている際に、モータ９２の回転軸９２１と平行に回転軸９２１を通るように、レール部材９３への接線と垂直に交わるように切断した断面図である。
【図８】ダイナミックＬＥＤ装飾部材８１を簡略化した斜視図である。
【図９】ＬＥＤ１８１がモータ８２と隣り合う位置に来ている際に、モータ８２の回転軸８２１と平行に回転軸８２１を通るように、レール部材８３への接線と垂直に交わるように切断した断面図である。
【符号の説明】
【００５８】
１  パチンコ機
４６  電飾制御基板
４６ａ  ＣＰＵ
８１  ダイナミックＬＥＤ装飾部材
８２  モータ
８３  レール部材
８４  ＬＥＤ部材
８８  直流駆動用ＬＥＤドライバ
９１  スタティックＬＥＤ装飾部材
９２  モータ
９３  レール部材
９４  ＬＥＤ部材
９８  パルス駆動用ＬＥＤドライバ
１８１〜１８９  ＬＥＤ
１９１〜１９５  ＬＥＤ
２８２  アノード
２８３  カソード
２８４  アノード用導電部
２８５  カソード用導電部
２８６  アノード部材
２８６９  アノード接触部
２８７  カソード部材
２８７９  カソード接触部
２９２  アノード
２９３  カソード
２９４  アノード用導電部
２９５  カソード用導電部
２９６  アノード部材
２９７  カソード部材
３８１〜３８３  電源供給用接続部
３８６〜３８８  ＧＮＤ用接続部
３９１  電源供給用配線
３９６  ＧＮＤ用配線
４８１〜４８３  電源供給用配線
４８６〜４８８  ＧＮＤ用配線
８２２  第２歯車
８２３  第１歯車
８３１  電源供給部材
８３２  ＧＮＤ部材
８３３  支え部材
９２２  第２歯車
９２３  第１歯車
９３１  電源供給部材
９３２  ＧＮＤ部材
９３３  支え部材
９８１  パルス発振器
【図１】
2006334179.tif 000003
【図２】
2006334179.tif 000004
【図３】
2006334179.tif 000005
【図４】
2006334179.tif 000006
【図５】
2006334179.tif 000007
【図６】
2006334179.tif 000008
【図７】
2006334179.tif 000009
【図８】
2006334179.tif 000010
【図９】
2006334179.tif 000011